(57)【要約】【課題】偽変造防止性能に優れ、真偽判定が容易な画像を有する個人認証媒体を得る。【解決手段】基材と、パール顔料を含有する溶融型熱転写インクを用いて、基材上に形成されたパール顔料インク画像層とを具備し、パール顔料インク画像層を構成する点または線の中心間の距離は、使用されるパール顔料の平均粒径の中で一番大きい平均粒径に対し、０．５ないし１００倍であり、溶融型熱転写インクは、光の３原色に応じた干渉光の色を持つパール顔料を各々使用している。【選択図】図１
2009045931.tif 000002
【特許請求の範囲】
【請求項１】
イエロー色の干渉色を有するパール顔料を含有する溶融型熱転写インク、マゼンタ色の干渉色を有するパール顔料を含有する溶融型熱転写インク、及びシアン色の干渉色を有するパール顔料を含有する溶融型熱転写インクからなる群、または赤色の干渉色を有するパール顔料を含有する溶融型熱転写インク、緑色の干渉色を有するパール顔料を含有する溶融型熱転写インク、及び青色の干渉色を有するパール顔料を含有する溶融型熱転写インクからなる群から選択される少なくとも２種を用いて、基材上に、パール顔料インク画像層を形成する工程を含む画像形成方法において、該パール顔料インク画像層を構成する点または線の中心間の距離は、使用されるパール顔料の平均粒径の中で一番大きい平均粒径に対し、０．５ないし１００倍である画像形成方法。
【請求項２】
前記パール顔料は、各々、２ないし１５０μｍの粒径を有する請求項１に記載の画像形成方法。
【請求項３】
前記画像形成後、該パール顔料インク画像層を介して基材上に被覆層を形成する工程をさらに具備し、前記パール顔料を含有する溶融型熱転写インク及び前記被覆層は、各々、同様のバインダー樹脂を含有する請求項１に記載の画像形成方法。
【請求項４】
前記被覆層の屈折率は、前記パール顔料インク画像層の屈折率の１０％以内である請求項３に記載の画像形成方法。
【請求項５】
基材と、
イエロー色の干渉色を有するパール顔料を含有する溶融型熱転写インク、マゼンタ色の干渉色を有するパール顔料を含有する溶融型熱転写インク、及びシアン色の干渉色を有するパール顔料を含有する溶融型熱転写インクからなる群、または赤色の干渉色を有するパール顔料を含有する溶融型熱転写インク、緑色の干渉色を有するパール顔料を含有する溶融型熱転写インク、及び青色の干渉色を有するパール顔料を含有する溶融型熱転写インクからなる群から選択される少なくとも２種を用いて該基材上に形成されたパール顔料インク画像層とを具備し、
該パール顔料インク画像層を構成する点または線の中心間の距離は、使用されるパール顔料の平均粒径の中で一番大きい平均粒径に対し、０．５ないし１００倍である個人認証媒体。
【請求項６】
前記パール顔料は、各々、２ないし１５０μｍの粒径を有する請求項５に記載の個人認証媒体。
【請求項７】
前記基材上に該パール顔料インク画像層を介して設けられた被覆層をさらに具備し、前記パール顔料を含有する溶融型熱転写インク及び前記被覆層は、各々、同様のバインダー樹脂を含有する請求項５に記載の個人認証媒体。
【請求項８】
前記被覆層の屈折率は、前記パール顔料インク画像層の屈折率の１０％以内である請求項７に記載の個人認証媒体。
【請求項９】
溶融型熱転写インクまたは昇華型熱転写インクを用いて、前記パール顔料インク画像層に対応したパターンで形成されたもう１つの画像を具備する請求項５に記載の個人認証媒体。
【請求項１０】
請求項５ないし９のいずれか１項に記載の個人認証媒体の判定装置であって、
前記パール顔料インク画像層に、光を照射するための光源と、
該パール顔料インク画像層にて反射された反射光を受光するための受光部と、
該受光部にて受光した光の光量に応じて該個人認証媒体に使用されているパール顔料の真偽を判定する判定部と、
これらを制御するための制御部とを具備する判定装置。
【発明の詳細な説明】
【技術分野】
【０００１】
本発明は、偽変造防止及び真偽判定のための特殊画像が形成された個人認証媒体及びその形成方法に関する。
【背景技術】
【０００２】
従来より、従業員証や会員証等のように、所有者本人の証明を目的とする顔画像入り証明書を染料熱拡散記録方式や感熱溶融記録方式を応用して作成するシステムが実用化されている。これらの証明書は不正使用を防止する必要があり、偽変造が困難で、且つ、真贋判定が容易なものの提供が求められている。
【０００３】
これらの求めに対応できる公知技術として、キャッシュカード等に実用化されている証明書面内へのホログラム及びシール等の付加が挙げられる。しかしながら、ホログラム及びシール等は、個別の情報を付加することが困難で、偽変造が比較的容易、且つ大量に作成することが容易という不都合があった。
【０００４】
真偽判定が容易であり、及び偽変造が困難であるという要求を同時に満たす技術として、干渉色をもつパール顔料を用いて、顔画像等の個人認証向け画像をフルカラーで形成する方法が提案されている（例えば、特許公報１参照）。
【０００５】
しかしながら、この画像形成方法では、干渉色が視認しにくく、色再現性が悪かったり、画像の輪郭がぼやけるという問題があった。
【特許文献１】特願２００１−３７６０４０号公報
【発明の開示】
【発明が解決しようとする課題】
【０００６】
本発明の目的は、上記事情を鑑みてなされたもので、偽変造防止性能に優れ、真偽判定が容易な画像を有する個人認証媒体を得ることにある。
【課題を解決するための手段】
【０００７】
本発明の画像形成方法は、パール顔料を含有する溶融型熱転写インクを用いて画像を熱転写記録する工程を含む画像形成方法であって、該画像を構成する点または線の中心間の距離は、使用されるパール顔料の平均粒径の中で一番大きい平均粒径に対し、０．５ないし１００倍であり、該パール顔料を含有する溶融型熱転写インクとして、イエロー色の干渉色を有するパール顔料を含有する溶融型熱転写インク、マゼンタ色の干渉色を有するパール顔料を含有する溶融型熱転写インク、及びシアン色の干渉色を有するパール顔料を含有する溶融型熱転写インクの３種のインクの組合せのうち少なくとも２種、または赤色の干渉色を有するパール顔料を含有する溶融型熱転写インク、緑色の干渉色を有するパール顔料を含有する溶融型熱転写インク、及び青色の干渉色を有するパール顔料を含有する溶融型熱転写インクの３種のインクの組合せのうち少なくとも２種が使用できる。
【０００８】
本発明の個人認証媒体は、基材と、パール顔料を含有する溶融型熱転写インクを用いて、該基材上に形成されたパール顔料インク画像層とを具備し、該パール顔料インク画像層を構成する点または線の中心間の距離は、使用されるパール顔料の平均粒径の中で一番大きい平均粒径に対し、０．５ないし１００倍であり、該パール顔料を含有する溶融型熱転写インクとして、イエロー色の干渉色を有するパール顔料を含有する溶融型熱転写インク、マゼンタ色の干渉色を有するパール顔料を含有する溶融型熱転写インク、及びシアン色の干渉色を有するパール顔料を含有する溶融型熱転写インクの３種のインクの組合せのうち少なくとも２種、または赤色の干渉色を有するパール顔料を含有する溶融型熱転写インク、緑色の干渉色を有するパール顔料を含有する溶融型熱転写インク、及び青色の干渉色を有するパール顔料を含有する溶融型熱転写インクの３種のインクの組合せのうち少なくとも２種が使用できる。
【０００９】
また、本発明の判定装置は、基材、及び赤色の干渉色を有するパール顔料を含有する溶融型熱転写インク、緑色の干渉色を有するパール顔料を含有する溶融型熱転写インク、及び青色の干渉色を有するパール顔料を含有する溶融型熱転写インクのうち少なくとも２種を用いて該基材上に形成されたパール顔料インク画像層とを具備し、該パール顔料インク画像層を構成する点または線の中心間の距離は、使用されるパール顔料の平均粒径の中で一番大きい平均粒径に対し、０．５ないし１００倍である個人認証媒体の判定装置であって、
該パール顔料インク層に光を照射するための光源と、
該パール顔料インク層にて反射された反射光を受光するための受光部と、
該受光部にて受光した光の光量に応じて該パール顔料インク層に使用されているパール顔料の真偽を判定する判定部と、
これらを制御するための制御部とを具備する。
【発明の効果】
【００１０】
本発明によれば、偽変造防止性能に優れ、真偽判定が容易な画像を有する個人認証媒体が得られる。
【発明を実施するための最良の形態】
【００１１】
本発明にかかる画像形成方法は、干渉色を有するパール顔料を含有する溶融型熱転写インクを用いて、画像を形成する工程を含む。
【００１２】
また、本発明にかかる個人認証媒体は、基材と、基材上にパール顔料を含有する溶融型熱転写インクを用いて形成されたパール顔料インク画像層とを含む。
【００１３】
本発明に使用されるパール顔料を含有する溶融型熱転写インクは、その干渉色が色の三原色である２つの組合せから選択される。一方は、イエロー、シアン、及びマゼンタ色の干渉色を有する組合せ、他方は、赤、青、及び緑色の干渉色を有する組合せである。
【００１４】
上記溶融型熱転写インクを用いて形成されたパール顔料インク画像層を構成するドットまたはラインの中心間の距離は、使用されるパール顔料の平均粒径の中で一番大きい平均粒径に対し、０．５ないし１００倍である。
【００１５】
上記３原色のいずれかの組合せの干渉色を有する溶融型熱転写インクを使用し、例えば溶融型熱転写インクリボンを作成して、被転写材に直接あるいは溶融型熱転写インク用受容層等上に当接し、支持体側に熱転写記録部材例えばサーマルヘッドを適用して、ドットのサイズを変化させながら階調記録を行い、その干渉色がフルカラーとなる転写画像例えば写真画像等を形成することにより、個人認証媒体を容易に得ることができる。溶融型熱転写インク用受容層は、予め、被転写材の基材表面に形成することが出来る。あるいは、受像層を支持体上に形成し、この上に画像等を形成した後、これを被転写材上に転写することができる。
【００１６】
本発明に用いられるパール顔料インク画像層は、見た目はパール顔料の干渉色と補色の関係にある色から構成され得る。この画像を傾けて、斜め方向から見たとき、その干渉色からなる自然な色調のフルカラー画像が視認できる角度がある。本発明によれば、パール顔料インク画像層を構成する単位となるドットまたはラインの中心間の距離を、使用されるパール顔料の平均粒径の中で一番大きい平均粒径に対し、０．５ないし１００倍とすることにより、この干渉光による画像がより鮮明であり、視認し易くなり、正確な真偽を素早く容易に判定することができる。
【００１７】
本発明に用いられるパール顔料インク画像層は、パール顔料を含む溶融型熱転写インクリボンを用いて容易に形成可能であり、また、その真偽判定も単に画像を斜め方向から見るだけで特別な装置等を使用する必要がない。このため、本発明の個人認証媒体は、その形成も真偽判定も低コストであって、かつ偽変造防止性能に優れ、真偽判定が容易である。
【００１８】
また、上記パール顔料は、２乃至１５０μｍの平均粒径を有し得る。さらに、５乃至５０μｍの平均粒径を有するパール顔料を使用すると、ドットのサイズを比較的小さくすることができ、階調性をより豊かにすることができる。パール顔料の平均粒径が５μｍ未満であると、その干渉光の輝度が低下し易いことから、パール顔料はある程度の大きさが必要である。
【００１９】
真偽判定は、パール顔料インク画像層の見た目の画像と、干渉色の画像とを比較しても良いし、あるいは溶融型熱転写インクまたは昇華型熱転写インクを用いて、パール顔料インク画像層に対応したパターンで形成されたもう１つの画像をさらに設け、パール顔料インク画像層の干渉色の画像と比較することもできる。
【００２０】
以下、図面を参照し、本発明を具体的に説明する。
【００２１】
図１は、本発明に係る個人認証媒体の一例を示すＩＤカードの正面図である。
【００２２】
また、図２は、図１の断面図である。
【００２３】
図示するように、このＩＤカード５は、紙、あるいはプラスチック等を用いて形成された基材４と、その一表面上に例えば昇華型熱転写インクを用いて形成された昇華型熱転写インク顔画像２と、身分や、資格証明事項等を記載した文字情報画像１と、３色のパール顔料を含有するインクからなる感熱溶融型熱転写リボンで印刷したパール顔料インク顔画像３で構成される。なお、必要に応じて、上記昇華型熱転写インク顔画像２は省略し得る。
【００２４】
このＩＤカード５を傾けたり、斜め方向から見ると、干渉色のみがはっきりと見える角度があり、この角度でのみ、パール顔料インク顔画像層３がフルカラーの自然な色で見える。このパール顔料インク顔画像３の干渉色の画像と、昇華型熱転写インク顔画像２とを比較することにより、ＩＤカードの真偽を容易に判定することができる。
【００２５】
また、図３に本発明に係る個人認証媒体の他の一例を表す断面図を示す。
【００２６】
図に示すように、基材４上に、パール顔料インク顔画像３を介して被覆層６を設けることができる。
【００２７】
被覆層６を設けることにより、パール顔料インク顔画像層３を平滑化することができるので、パール顔料インク顔画像層３表面における反射光の乱反射を抑制し、反射光をより効率良く透過し得る。
【００２８】
反射光をより効率良く透過するためには、被覆層は、その屈折率が、パール顔料インク顔画像層の屈折率と同様であるか、またはその差が少ない方が良い。
【００２９】
このため、被覆層に使用される材料は、パール顔料インク顔画像層に使用されるバインダー樹脂と同様のバインダー樹脂を使用することが出来る。
【００３０】
被覆層は、例えば１．３５ないし１．７６の屈折率を有し、前記パール顔料インク画像層は例えば１．５０ないし１．６０の屈折率を有し得る。
【００３１】
また、真偽判定は、パール顔料の真偽を見ることにより調べることが出来る。
【００３２】
図４に、本発明に係る個人認証媒体の判定装置の一例の構成を表す概略図を示す。
【００３３】
図示するように、この判定装置１０は、判定装置１０を主に制御する制御部２０と、制御部２０からの信号を受けて、光照射を制御する光照射制御部１８と、光照射制御部１８からの信号を受けてパール顔料インク画像層に、例えば白色光などの光を照射する光源１１と、パール顔料インク画像層にて反射された反射光を受光する反射光受光部１２と、反射光受光部１２にて受光された受光データを処理して光量を求めるための受光データ処理部１３と、受光データ処理部１３からの光量情報に基づいて、個人認証媒体に使用されているパール顔料の真偽を判定する判定部１４を有し、さらに、この判定部１４に対し、各々、制御部２０を介して接続された、例えば判定部１４からの判定結果に基づく表示などを行う表示部１５，その判定結果などの情報を必要に応じて蓄積する蓄積部１６、及び利用者が判定装置１０の操作を行うための操作部１７が設けられている。
【００３４】
この判定装置１０では、まず、例えば基台１９上に試料として、本発明に係る個人認証媒体を載置する。
【００３５】
この個人認証媒体は、基材、及び赤色の干渉色を有するパール顔料を含有する溶融型熱転写インク、緑色の干渉色を有するパール顔料を含有する溶融型熱転写インク、及び青色の干渉色を有するパール顔料を含有する溶融型熱転写インクのうち少なくとも２種、またはイエロー色の干渉色を有するパール顔料を含有する溶融型熱転写インク、マゼンタ色の干渉色を有するパール顔料を含有する溶融型熱転写インク、及びシアン色の干渉色を有するパール顔料を含有する溶融型熱転写インクからなる群から選択される少なくとも２種を用いて該基材上に形成されたパール顔料インク画像層とを具備し、パール顔料インク画像層を構成する点または線の中心間の距離は、使用されるパール顔料の平均粒径の中で一番大きい平均粒径に対し、０．５ないし１００倍である。
【００３６】
判定しようとするパール顔料の干渉の角度が、パール顔料インク画像層表面に垂直な軸方向に対し、α°傾いた軸方向であるとき、パール顔料インク画像層表面に垂直な軸２１に対し、α°傾いた軸上の位置に配置された光源１１からパール顔料インク画像層に白色光を照射することができる。続いて、パール顔料インク画像層表面に垂直な軸方向に対し、光源１１とは反対側にα°傾いた軸上の位置に配置された受光部１２を用いて反射光を受光する。受光部１２にて受光された光の受光データは、受光データ処理部１３に送られて、光量情報に変換され、判定部１４に送られる。判定部１４では、例えば、光量情報のレベルが予め決められた閾値以上の場合に本物と判定し、閾値未満の場合には、偽物と判定することが出来る。
【００３７】
干渉の角度は、例えば赤色パール顔料が０°、緑色パール顔料が５°、及び青色パール顔料が５°というように、使用するパール原料によって異なり得る。このため、光源１１及び受光部１２の配置は、測定しようとするパール顔料に応じて移動可能に設置するか、あるいは、図示するように、測定しようとするパール顔料の数及び干渉の角度に併せて、複数の光源１１及び受光部１２を、複数の固定位置に配置することが出来る。
【００３８】
判定部１４における判定結果は、主たる制御部２０に送られ、ここでは、必要に応じて、判定結果を表示部１５にて表示したり、判定結果を蓄積部１６にて蓄積するなどの制御を行うことが出来る。また、この制御部２０は、操作部１７に接続されており、利用者は、この操作部１７から例えば判定装置１０のＯＮ／ＯＦＦ、次の試料の判定等を指示することが出来る。
【００３９】
各色のパール顔料を含有する溶融型熱転写インクは、例えばそれらを用いて形成した感熱溶融型熱転写リボンを使用して印刷することが出来る。
【００４０】
パール顔料を含有するインクからなる感熱溶融型熱転写リボンは基材、背面層、インク層からなり、インク層は、パール顔料とバインダー樹脂から構成される。
【００４１】
本発明に使用可能なイエロー色の干渉色を有するパール顔料としては、例えば日本光研工業（株）製  商品名  アルティミカＹＤ−１００、ＹＥ−１００、ＰＥＡＲＬ−ＧＬＡＺＥ  ＭＹ−２１００Ｒ、メルク・ジャパン（株）製Ｉｒｉｏｄｉｎ／Ａｆｆｌａｉｒ  ２０５、２４９、Ｅｎｇｅｌｈａｒｄ  Ｃｏｒｐｏｒａｔｉｏｎ製Ｈｉ−Ｌｉｔｅ  Ｓｕｐａｒｋｌｅ  Ｇｏｌｄ  ９２２０Ｊ等があげられる。
【００４２】
本発明に使用可能なマゼンタ色の干渉色を有するパール顔料としては、例えば日本光研工業（株）製  商品名  アルティミカＲＢＢ−１００、ＲＢＤ−１００、ＲＢＥ−１００、メルク・ジャパン（株）製Ｉｒｉｏｄｉｎ／Ａｆｆｌａｉｒ  ２１５、２５９、Ｅｎｇｅｌｈａｒｄ  Ｃｏｒｐｏｒａｔｉｏｎ製Ｈｉ−Ｌｉｔｅ  Ｓｐａｒｋｌｅ  Ｏｒａｎｇｅ  ９３２０Ｊ、Ｈｉ−Ｌｉｔｅ  Ｓｐａｒｋｌｅ  Ｒｅｄ  ９４２０Ｊ等  があげられる。
【００４３】
本発明に使用可能なシアン色の干渉色を有するパール顔料としては、例えば日本光研工業（株）製  商品名  アルティミカＢＢ−１００、ＢＤ−１００、ＢＥ−１００、メルク・ジャパン（株）製Ｉｒｉｏｄｉｎ／Ａｆｆｌａｉｒ  ２２５、２８９、Ｅｎｇｅｌｈａｒｄ  Ｃｏｒｐｏｒａｔｉｏｎ製Ｈｉ−Ｌｉｔｅ  Ｓｕｐａｒｋｌｅ  Ｂｌｕｅ  ９６２０Ｊ等  があげられる。
【００４４】
本発明に使用可能な赤色の干渉色を有するパール顔料としては、例えば日本光研工業（株）製  商品名  アルティミカＲＢＤ−１００、ＲＢＥ−１００、ＰＥＡＲＬ−ＧＬＡＺＥ  ＭＲ−１００Ｒ、ＭＲＢ−１００Ｒ、ＭＲＢ−２１００Ｒ、メルク・ジャパン（株）製Ｉｒｉｏｄｉｎ／Ａｆｆｌａｉｒ  ２１５、２５９、Ｅｎｇｅｌｈａｒｄ  Ｃｏｒｐｏｒａｔｉｏｎ製Ｈｉ−Ｌｉｔｅ  Ｓｐａｒｋｌｅ  Ｏｒａｎｇｅ  ９３２０Ｊ、Ｈｉ−Ｌｉｔｅ  Ｓｐａｒｋｌｅ  Ｒｅｄ  ９４２０Ｊ等を使用することができる。
【００４５】
本発明に使用可能な緑色の干渉色を有するパール顔料としては、例えば日本光研工業（株）製  商品名  アルティミカＧＢ−１００、ＧＤ−１００、ＧＥ−１００、メルク・ジャパン（株）製Ｉｒｉｏｄｉｎ／Ａｆｆｌａｉｒ  ２３１、２３５、２９９等  があげられる。
【００４６】
干渉色が青色のものは、日本光研工業（株）製  商品名  アルティミカＢＤ−１００、ＢＥ−１００、ＰＥＡＲＬ−ＧＬＡＺＥ  ＭＢ−１００Ｒ、ＭＢ−２１００Ｒ、メルク・ジャパン（株）製Ｉｒｉｏｄｉｎ／Ａｆｆｌａｉｒ  ２２５、２８９、Ｅｎｇｅｌｈａｒｄ  Ｃｏｒｐｏｒａｔｉｏｎ製Ｈｉ−Ｌｉｔｅ  Ｓｕｐａｒｋｌｅ  Ｂｌｕｅ  ９６２０Ｊ等を使用することができる。
【００４７】
上記のパール顔料は、２μｍないし１５０μｍの平均粒径を有し、比較的大きい粒子だが、より優れた階調特性を出すためには、５乃至５０μｍの平均粒径を有する比較的小さな粒子のパール顔料を使用し、ドットの大きさを小さくすることが好ましい。
【００４８】
イエロー色の干渉色を有する比較的小さな粒子のパール顔料としては、日本光研工業（株）製  商品名  アルティミカ  ＹＢ−１００、ＰＥＡＲＬ−ＧＬＡＺＥ  ＭＹ−１００ＲＦ、メルク・ジャパン（株）製Ｉｒｉｏｄｉｎ／Ａｆｆｌａｉｒ  ２０１、Ｅｎｇｅｌｈａｒｄ  Ｃｏｒｐｏｒａｔｉｏｎ製Ｈｉ−Ｌｉｔｅ  Ｓｕｐｅｒ  Ｇｏｌｄ  ９２３０Ｚ、Ｍｉｃｒｏ  Ｇｏｌｄ  ９２６０Ｍ、Ｄｙｎａｃｏｌｏｒ  ＢＹ−Ｂ  ９２３９ＺＢ１５ＡＡ、Ｄｙｎａｃｏｌｏｒ  ＧＹ  ９２３９ＺＧ７Ａ等があげられる。
【００４９】
マゼンタ色の干渉色を有する比較的小さな粒子のパール顔料としては、例えば  日本光研工業（株）製  商品名  アルティミカＲＢＢ−１００、ＲＢＤ−１００、ＲＢＥ−１００、メルク・ジャパン（株）製Ｉｒｉｏｄｉｎ／Ａｆｆｌａｉｒ  ２１５、２５９、Ｅｎｇｅｌｈａｒｄ  Ｃｏｒｐｏｒａｔｉｏｎ製Ｈｉ−Ｌｉｔｅ  Ｓｐａｒｋｌｅ  Ｏｒａｎｇｅ  ９３２０Ｊ、Ｈｉ−Ｌｉｔｅ  Ｓｐａｒｋｌｅ  Ｒｅｄ  ９４２０Ｊ等  があげられる。
【００５０】
シアン色の干渉色を有する比較的小さな粒子のパール顔料としては、例えば  日本光研工業（株）製  商品名  アルティミカＢＢ−１００、ＢＤ−１００、ＢＥ−１００、メルク・ジャパン（株）製Ｉｒｉｏｄｉｎ／Ａｆｆｌａｉｒ  ２２５、２８９、Ｅｎｇｅｌｈａｒｄ  Ｃｏｒｐｏｒａｔｉｏｎ製Ｈｉ−Ｌｉｔｅ  Ｓｕｐａｒｋｌｅ  Ｂｌｕｅ  ９６２０Ｊ等  があげられる。
【００５１】
赤色の干渉色を有する比較的小さな粒子のパール顔料としては、日本光研工業（株）製  商品名  アルティミカＲＢ−１００、ＲＢＢ−１００、ＰＥＡＲＬ−ＧＬＡＺＥ  ＭＲＢ−１００ＲＦ、メルク・ジャパン（株）製Ｉｒｉｏｄｉｎ／Ａｆｆｌａｉｒ  ２１１、Ｅｎｇｅｌｈａｒｄ  Ｃｏｒｐｏｒａｔｉｏｎ製Ｈｉ−Ｌｉｔｅ  Ｓｕｐｅｒ  Ｏｒａｎｇｅ  ９３３０Ｚ、Ｈｉ−Ｌｉｔｅ  Ｓｕｐｅｒ  Ｒｅｄ  ９４３０Ｚ、Ｍｉｃｒｏ  Ｏｒａｎｇｅ  ９３６０Ｍ、Ｍｉｃｒｏ  Ｒｅｄ  ９４６０Ｍ、Ｈｉ−Ｌｉｔｅ  Ｓｐａｒｋｌｅ  Ｒｅｄ  ９４２０Ｊ等を使用することができる。
【００５２】
緑色の干渉色を有する比較的小さな粒子のパール顔料としては、例えば  日本光研工業（株）製  商品名  アルティミカＧＢ−１００、ＧＤ−１００、ＧＥ−１００、メルク・ジャパン（株）製Ｉｒｉｏｄｉｎ／Ａｆｆｌａｉｒ  ２３１、２３５、２９９等  があげられる。
【００５３】
青色の干渉色を有する比較的小さな粒子のパール顔料としては、日本光研工業（株）製  商品名  アルティミカＢＢ−１００、ＰＥＡＲＬ−ＧＬＡＺＥ  ＭＢ−１００ＲＦ、メルク・ジャパン（株）製Ｉｒｉｏｄｉｎ／Ａｆｆｌａｉｒ  ２２１、Ｅｎｇｅｌｈａｒｄ  Ｃｏｒｐｏｒａｔｉｏｎ製Ｈｉ−Ｌｉｔｅ  Ｓｕｐｅｒ  Ｂｌｕｅ  ９６３０Ｚ、Ｍｉｃｒｏ  Ｂｌｕｅ  ９６６０Ｍ、Ｄｙｎａｃｏｌｏｒ  ＧＢ  ９６３９ＺＧ７Ａ、Ｄｙｎａｃｏｌｏｒ  ＲＢ  ９６３９ＺＶ１９Ａ等を使用することができる。
【００５４】
パール顔料含有転写型熱溶融性インク及び被覆層に使用されるバインダー樹脂としては、酢酸ビニル樹脂、エチレン−酢酸ビニル共重合樹脂、アクリル樹脂、ポリエステル樹脂及びこれらの各樹脂の混合物等があげられる。パール顔料含有転写型熱溶融性インクと被覆層に使用されるバインダー樹脂は、互いに、同等の屈折率を有するか、または屈折率の差が出来るだけ少ないバインダー樹脂を選択して使用し得る。互いに同等の屈折率を有するバインダー樹脂としては、同様の繰り返し単位を有する樹脂、さらには分子量が同様であるバインダー樹脂を選択して使用し得る。
【００５５】
酢酸ビニル樹脂としては、例えば、電気化学工業（株）サクノールＳＮ−０４、サクノールＳＮ−０４Ｓ、サクノールＳＮ−０４Ｄ、サクノールＳＮ−０９Ａ、サクノールＳＮ−０９Ｔ、サクノールＳＮ−１０、サクノールＳＮ−１０Ｎ、サクノールＳＮ−１７Ａ、ＡＳＲ  ＣＨ−０９、ＡＳＲ  ＣＬ−１３、クラリアントポリマー（株）製モビニールＤＣ、ダイセル化成品（株）製セビアンＡ５３０、セビアンＡ７００、セビアンＡ７０７、セビアンＡ７１０、セビアンＡ７１２、セビアンＡ８００等があげられる。
【００５６】
エチレン−酢酸ビニル共重合樹脂としては、例えば、三井デュポンポリケミカル（株）製エバフレックス４５Ｘ、エバフレックス４０、エバフレックス１５０、エバフレックス２１０、エバフレックス２２０、エバフレックス２５０、エバフレックス２６０、エバフレックス３１０、エバフレックス３６０、エバフレックス４１０、エバフレックス４２０、エバフレックス４５０、エバフレックス４６０、エバフレックス５５０、エバフレックス５６０、クラリアントポリマー（株）製モビニール０８１Ｆ、住友化学工業（株）製エバテートＤ３０２２、Ｄ３０１２、Ｄ４０３２、ＣＶ８０３０、ヒロダイン工業（株）製ヒロダイン１８００−５、ヒロダイン１８００−６、ヒロダイン１８００−８、ヒロダイン３７０６、ヒロダイン４３０９、コニシ（株）製ボンドＣＺ２５０、ボンドＣＶ３１０５等があげられる。
【００５７】
アクリル樹脂としては、例えば、ダイセル化成品（株）製セビアンＡ４５０００、セビアンＡ４５６１０、セビアンＡ４６７７７、セビアンＡ４６３５、三菱レイヨン（株）製ダイヤナールＢＲ−５３、ダイヤナールＢＲ−６４、ダイヤナールＢＲ−７９、ダイヤナールＢＲ−８０、ダイヤナールＢＲ−８３、ダイヤナールＢＲ−８５、ダイヤナールＢＲ−８７、ダイヤナールＢＲ−９０、ダイヤナールＢＲ−９３、ダイヤナールＢＲ−１０１、ダイヤナールＢＲ−１０２、ダイヤナールＢＲ−１０５、ダイヤナールＢＲ−１０６、ダイヤナールＢＲ−１０７、ダイヤナールＢＲ−１１２、ダイヤナールＢＲ−１１５、ダイヤナールＢＲ−１１６、ダイヤナールＢＲ−１１７、ダイヤナールＢＲ−１１８等があげられる。
【００５８】
ポリエステル樹脂としては、例えば、東洋紡績（株）製バイロン１０３、バイロン２００、バイロン２２０、バイロン２４０、バイロン２４５、バイロン２７０、バイロン２８０、バイロン２９６、バイロン３００、バイロン５００、バイロン５３０、バイロン５５０、バイロン５６０、バイロン６００、バイロン６３０、バイロン６５０、バイロナールＭＤ１１００、バイロナールＭＤ１２００、バイロナールＭＤ１２４５、バイロナールＭＤ１４００、バイロナールＧＸ−Ｗ２７、ユニチカ（株）製エリーテルＵＥ−３２００、エリーテルＵＥ−３３００、エリーテルＵＥ−３３２０、エリーテルＵＥ−３３５０、エリーテルＵＥ−３３７０、エリーテルＵＥ−３３８０等があげられる。
【００５９】
また、インク層には、ワックスを添加することができる。このようなワックスとしては、例えばポリエチレンワックスやカルナバワックス等が好ましく使用できる。例えば、日本精蝋（株）製Ｈｉ−Ｍｉｃ−２０６５、Ｈｉ−Ｍｉｃ−１０４５、Ｈｉ−Ｍｉｃ−２０４５、ＰＡＬＶＡＸ−１２３０、ＰＡＬＶＡＸ−１３３０、ＰＡＬＶＡＸ−１３３５、ＰＡＬＶＡＸ−１４３０、ＢＯＮＴＥＸ−００１１、ＢＯＮＴＥＸ−０１００、ＢＯＮＴＥＸ−２２６６等があげられる。
【００６０】
これらのパール顔料とバインダー樹脂を用いて作成するインクリボンのインク層の厚みは０．３〜３μｍが望ましい。０．３μｍ未満であると、十分な画像濃度が得難く、このため、コントラストのはっきりしない画像となり、厚すぎると小さなドットを印刷するのが困難となり、階調特性に影響が出る。
【００６１】
実施例
以下、実施例と比較例を示し、本発明を具体的に説明する。
【００６２】
支持体として、厚さが６μｍの透明ポリエステルフィルム（東レ（株）製、商品型番：ルミラーＦ５３１）を用意し、その片面に、下記組成のインク層塗布液を、グラビアコーターを用いて、乾燥後の塗膜厚みが１μｍになるように塗布し、１２０℃で２分間、加熱、乾燥して、パール顔料を含有するインクからなる各色の感熱溶融型熱転写リボンを得た。
【００６３】
メチルエチルケトン                                  ４０重量部
トルエン                                            ４０重量部
東洋紡（株）製バイロン２２０                        １４重量部
表１〜４に記載のパール顔料                            ６重量部
以上のようにして得たパール顔料を含有するインクからなる感熱溶融型熱転写リボンを用いて、市販のカード上に、６００ｄｐｉのサーマルヘッドで、各色のインク画像のドット間距離が表１〜４の数値になるように調整し、干渉色がフルカラー画像になるように記録し、パール顔料インク画像層を得た。
【００６４】
得られたパール顔料インク画像層の干渉色画像の視認性を目視で観察した。
【００６５】
その結果、干渉色が視認しやすく、色再現性が良好で、画像の輪郭が鮮明であるものを○、干渉色の視認性、色再現性、画像の輪郭の鮮明さのいずれかが良好であるものを△、干渉色の視認性、色再現性、画像の輪郭の鮮明さのいずれも良好でないものを×とそれぞれ評価した。
【表１】
2009045931.tif 000003
【００６６】
【表２】
2009045931.tif 000004
【００６７】
【表３】
2009045931.tif 000005
【００６８】
【表４】
2009045931.tif 000006
【００６９】
上記表１ないし４から、例えば実施例１ないし１６に示すように、ドット間距離／平均粒径の比が０．５ないし１００の範囲内であると、干渉光画像の視認性が非常に良好となるが、例えば比較例１，２，５，６，９，１０，１３，及び１４のように、上記範囲を少しはずれると、干渉光画像の視認性が若干悪くなり、さらに、比較例３，４，７，８，１１，１２，１５，及び１６のように、上記範囲を大幅にはずれたり、ドットが重なって、ドット間距離が０になったりすると、干渉光画像の視認性が悪化することがわかる。
【００７０】
また、実施例９ないし１２に示すように、パール顔料の体積平均粒径が５０μｍより大きいと、干渉色視認性が、多少低下する傾向があった。
【００７１】
このように、本発明によれば、偽変造防止性能に優れ、干渉光画像の視認性が良好で真偽判定が容易な画像を有する個人認証媒体が得られる。
【００７２】
また、厚さ２５μｍのポリエチレンテレフタレートフィルム（東レ（株）製  商品名：ルミラー）の表面に、グラビアコーターを用いて、乾燥後の塗膜厚みが１ないし５μｍになるように、被覆層塗布液１を塗布して乾燥した後、乾燥後の塗膜厚みが１０ないし２０μｍになるように、被覆層塗布液２を、塗布、乾燥して、被覆層熱転写シートを形成した。
【００７３】
被覆層塗布液１組成
アクリル樹脂（三菱レイヨン（株）製  商品名：ダイヤナールＢＲ−８３）２０重量部
メチルエチルケトン                                                ４０重量部
トルエン                                                          ４０重量部
被覆層塗布液２組成
ポリエステル樹脂（東洋紡（株）製  商品名：バイロン２２０）        ２０重量部
メチルエチルケトン                                                ４０重量部
トルエン                                                          ４０重量部
得られた被覆層熱転写シートを使用して、パール顔料インク画像層上に、熱転写により被覆層を形成した。
【００７４】
被覆層を形成したパール顔料インク画像層と、被覆層を形成していないパール顔料インク画像層との干渉色画像の視認性を目視で観察したところ、比較例１ないし１６については、大きな違いは見られなかったが、実施例１ないし１６については、その視認性がより良好になった。
【００７５】
また、パール顔料インク画像層の屈折率は、１．５５ないし１．５６、被覆層の屈折率は１．４８ないし１．５０であった。
【図面の簡単な説明】
【００７６】
【図１】本発明にかかる個人認証媒体の一例を表す正面図
【図２】図１の断面図
【図３】本発明に係る個人認証媒体の他の一例を表す断面図
【図４】本発明に係る個人認証媒体の判定装置の一例の構成を表す概略図
【符号の説明】
【００７７】
１…文字情報画像、２…昇華型熱転写インク顔画像、３…パール顔料インク顔画像層、４…基材、５…ＩＤカード、６…被覆層、１０…、１１…、１２…、１３…受光データ処理部、１４…判定部、１５…、１６…蓄積部、１７…操作部、１８…光照射制御部、１９…基台、２０…制御部
【図１】
2009045931.tif 000007
【図２】
2009045931.tif 000008
【図３】
2009045931.tif 000009
【図４】
2009045931.tif 000010